(57)【特許請求の範囲】
【請求項１】
モバイルデバイスによって、干渉が無線通信チャネルの到来するスケジュールされた時間スロットのセットのうちの１つまたは複数の特定された時間スロットの間に生じることが予期されることを予測することと、
前記１つまたは複数の特定された時間スロットの間に前記モバイルデバイスへ情報を送らないようにネットワークデバイスに指示する、前記ネットワークデバイスへのメッセージを送ることと、前記メッセージは、前記１つまたは複数の特定された時間スロットを示すデータレート制御（ＤＲＣ）マスクを含み、前記メッセージは、前記無線通信チャネルの拡張されたＤＲＣチャネルを介して前記ネットワークデバイスへ送られる、
を備える方法。
【請求項２】
前記ＤＲＣマスクは、マスクビットを備え、前記マスクビットの各々は、前記到来するスケジュールされた時間スロットのうちの１つに対応するビット位置を有し、かつ対応する前記到来するスケジュールされた時間スロットの間に前記情報が送られることがないようにされるかどうかを示すビット値を有する、請求項１に記載の方法。
【請求項３】
前記メッセージは、データが前記ネットワークデバイスから前記モバイルデバイスへ送られる要求されたデータレートを示すＤＲＣ値をさらに含む、請求項１に記載の方法。
【請求項４】
前記メッセージは、前記ＤＲＣ値および前記ＤＲＣマスクを含むプロトコルデータ単位（ＰＤＵ）である、請求項３に記載の方法。
【請求項５】
前記拡張されたＤＲＣチャネルは、前記無線通信チャネルの専用データレート制御（ＤＲＣ）マスクチャネルである、請求項１に記載の方法。
【請求項６】
前記専用ＤＲＣマスクチャネルは、固有のウォルシュ符号と関連づけられる、請求項５に記載の方法。
【請求項７】
前記拡張されたＤＲＣチャネルは、前記無線通信チャネルのデータソース制御（ＤＳＣ）チャネルである、請求項１に記載の方法。
【請求項８】
前記ＤＳＣチャネルは、ＤＳＣカバーのセットを搬送するように構成される、請求項７に記載の方法。
【請求項９】
前記ＤＳＣカバーのセットのうちの指定されたＤＳＣカバーは、前記１つまたは複数の特定された時間スロットを示す、請求項８に記載の方法。
【請求項１０】
前記ＤＳＣカバーのセットは、８つのウォルシュ符号のセットである、請求項８に記載の方法。
【請求項１１】
前記干渉は、前記モバイルデバイスによる前記情報の受信と干渉すると予期される、第２のネットワークデバイスへの前記モバイルデバイスによって送られる送信に基づいて予測される、請求項１に記載の方法。
【請求項１２】
前記モバイルデバイスの第１のトランシーバを介して前記送信を送ることと、
前記モバイルデバイスの第２のトランシーバを介して前記情報の少なくとも一部を受信することと
をさらに備え、
前記送信を送ることは、前記情報を受信することと干渉しない、請求項１１に記載の方法。
【請求項１３】
前記送信は、グローバル移動体通信システム（ＧＳＭ（登録商標））送信であり、前記受信は、前記ＧＳＭ送信と同時に生じるようにスケジュールされている高レートパケットデータ（ＨＲＰＤ）受信である、請求項１２に記載の方法。
【請求項１４】
前記１つまたは複数の特定された時間スロットは、その間にＨＲＰＤデータが前記モバイルデバイスによって受信されるスケジュールされたＨＲＰＤ時間スロットである、請求項１３に記載の方法。
【請求項１５】
前記送信は、Ｂｌｕｅｔｏｏｔｈ（登録商標）送信または無線ローカルエリアネットワーク（ＷＬＡＮ）送信であり、前記受信は、ロングタームエボリューション（ＬＴＥ）受信または高速パケットアクセス（ＨＳＰＡ）受信である、請求項１２に記載の方法。
【請求項１６】
干渉が無線通信チャネルの到来するスケジュールされた時間スロットのセットのうちの１つまたは複数の特定された時間スロットの間に生じることが予期されることを決定するように構成されたスケジューラと、
前記１つまたは複数の特定された時間スロットを示す、前記スケジューラからのデータを受信し、かつ、前記データをメッセージ中に符号化するように構成されたメッセージジェネレータと、前記メッセージは、前記１つまたは複数の特定された時間スロットを示すデータレート制御（ＤＲＣ）マスクを含む、
前記メッセージを前記無線通信チャネルの拡張されたＤＲＣチャネルを介してネットワークデバイスへ送信するように構成された第１のトランシーバと
を備えるプロセッサ、
を備える装置。
【請求項１７】
前記メッセージは、データがそこで前記ネットワークデバイスから送られる要求されたデータレートを示すＤＲＣ値をさらに含む、請求項１６に記載の装置。
【請求項１８】
ＧＳＭネットワークデバイスにグローバル移動体通信システム（ＧＳＭ）データを送信するように構成された第２のトランシーバと、
前記第１のトランシーバは、ＨＲＰＤネットワークデバイスから高レートパケットデータ（ＨＲＰＤ）データを受信するようにさらに構成され、前記ネットワークデバイスは、前記ＨＲＰＤネットワークデバイスを含む、
をさらに備える、請求項１６に記載の装置。
【請求項１９】
デュアルＨＲＰＤ／ＧＳＭモバイルデバイスに統合される、請求項１８に記載の装置。
【請求項２０】
干渉が無線通信チャネルの到来するスケジュールされた時間スロットのうちの１つまたは複数の特定された時間スロットの間に生じることが予期されることを決定するための手段と、
前記１つまたは複数の特定された時間スロットを示すデータをメッセージ中に符号化するための手段と、前記メッセージは、前記１つまたは複数の特定された時間スロットを示すデータレート制御（ＤＲＣ）マスクを含む、
前記無線通信チャネルの拡張されたＤＲＣチャネルを介して前記メッセージを送信するための手段と、
を備える装置。
【請求項２１】
グローバル移動体通信システム（ＧＳＭ）データを送信するための手段と、
高レートパケットデータ（ＨＲＰＤ）データを受信するための手段と
をさらに備え、
前記１つまたは複数の特定された時間スロットは、その間に前記ＧＳＭデータが送信されるＨＲＰＤ時間スロットである、請求項２０に記載の装置。
【請求項２２】
プロセッサによって実行されるとき、前記プロセッサに、
モバイルデバイスによって、干渉が無線通信チャネルの到来するスケジュールされた時間スロットのセットのうちの１つまたは複数の特定された時間スロットの間に生じることが予期されることを予測することと、
前記１つまたは複数の特定された時間スロットの間に前記モバイルデバイスへ情報を送らないようにネットワークデバイスに指示する、前記ネットワークデバイスへのメッセージを送ることと、前記メッセージは、前記１つまたは複数の特定された時間スロットを示すデータレート制御（ＤＲＣ）マスクを含み、前記メッセージは、前記無線通信チャネルの拡張されたＤＲＣチャネルを介して前記ネットワークデバイスへ送られる、
を備える動作を行わせる命令を記憶するコンピュータ可読記憶媒体。
【請求項２３】
前記メッセージは、複数のビットを含むマスクビットのパターンを含み、前記ビットの各々は、前記到来するスケジュールされた時間スロットのうちの１つに対応するビット位置を有し、かつ前記到来するスケジュールされた時間スロットのうちの１つの間に前記情報が送られることがないようにされるかどうかを示すビット値を有する、請求項２２に記載のコンピュータ可読記憶媒体。
【請求項２４】
前記動作は、前記到来するスケジュールされた時間スロットのセットの各特定の時間スロットについて、前記モバイルデバイスが各特定の時間スロットの間に前記ネットワークデバイスからデータを受信するかどうかを決定するために、前記マスクビットのパターンの各ビットを参照することをさらに備える、請求項２３に記載のコンピュータ可読記憶媒体。
【請求項２５】
ネットワークデバイスによって、無線通信チャネルの到来するスケジュールされた時間スロットのセットのうちの１つまたは複数の特定された時間スロットの間のモバイルデバイス送信干渉を示す、モバイルデバイスからのメッセージを受信すること、前記メッセージは、１つまたは複数の特定された時間スロットを示すデータレート制御（ＤＲＣ）マスクを含み、前記メッセージは、前記無線通信チャネルの拡張されたＤＲＣチャネルを介して受信される、
を備える方法。
【請求項２６】
情報が前記１つまたは複数の特定された時間スロットの間に前記モバイルデバイスへ送られるようにスケジュールされているかどうかを決定することをさらに備える、請求項２５に記載の方法。
【請求項２７】
前記情報が前記１つまたは複数の特定された時間スロットの間に前記モバイルデバイスへ送られるようにスケジュールされていると決定することに応答して、前記１つまたは複数の特定された時間スロットを、前記モバイルデバイスから第２のモバイルデバイスへ再割り当てすることをさらに備える、請求項２６に記載の方法。
【請求項２８】
モバイルデバイスからメッセージを受信するように構成された受信機であって、前記メッセージは、無線通信チャネルの拡張されたデータレート制御（ＤＲＣ）チャネルを介して受信され、前記メッセージは複数のビットを有するＤＲＣマスクを含み、前記ビットの各々は、前記無線通信チャネルの到来するスケジュールされた時間スロットのセットのうちの時間スロットに対応するビット位置を有し、かつ前記対応する時間スロットの間に前記モバイルデバイスへ情報を送るかどうかを示すビット値を有する、受信機と、
前記受信されたメッセージに応答して、特定された時間スロットにおいて前記モバイルデバイスへ前記情報を選択的に送信するように構成された送信機と
を備える装置。
【請求項２９】
前記メッセージは、ＤＲＣ値をさらに含む、請求項２８に記載の装置。
【請求項３０】
前記拡張されたＤＲＣチャネルは、固有のウォルシュ符号と関連づけられる専用チャネルである、請求項２８に記載の装置。
【請求項３１】
前記メッセージは、データソース制御（ＤＳＣ）カバーを含む、請求項２８に記載の装置。
【請求項３２】
無線通信チャネルの到来するスケジュールされた時間スロットのセットのうちの１つまたは複数の時間スロットの間にモバイルデバイス送信干渉を示すモバイルデバイスからのメッセージを受信するための手段と、前記メッセージは、前記１つまたは複数の時間スロットを示すデータレート制御（ＤＲＣ）マスクを含み、前記メッセージは、前記無線通信チャネルの拡張されたＤＲＣチャネルを介して受信される、
前記受信されたメッセージに応答して、前記モバイルデバイスに情報を送信するための手段と、
を備える装置。
【請求項３３】
前記ＤＲＣマスクは、複数のビットを含み、前記ビットの各々は、前記到来するスケジュールされた時間スロットのうちの１つに対応する、請求項３２に記載の装置。
【請求項３４】
プロセッサによって実行されるとき、前記プロセッサに、
無線通信チャネルの拡張されたデータレート制御（ＤＲＣ）チャネルを介して、モバイルデバイスからのメッセージを受信することを備える動作を行わせる命令を記憶し、前記メッセージは複数のビットを有するＤＲＣマスクを含み、前記ビットの各々は、到来するスケジュールされた時間スロットのセットのうちの時間スロットに対応するビット位置を有し、かつ前記対応する時間スロットの間に前記モバイルデバイスへ情報を送らないようにするかどうかを示すビット値を有する、コンピュータ可読記憶媒体。
【請求項３５】
前記動作は、前記到来するスケジュールされた時間スロットのうちの少なくとも１つを、前記モバイルデバイスから第２のモバイルデバイスへ再割り当てすることをさらに備える、請求項３４に記載のコンピュータ可読記憶媒体。
【発明の詳細な説明】
【技術分野】
【０００１】
[優先権の主張]  本願は、「干渉緩和のための装置および方法（Apparatus and Method for Interference Mitigation）」と題された、２０１０年３月３０日に出願された国際出願ＰＣＴ／ＣＮ２０１０／０７１４１７号、および「干渉緩和のための装置および方法（Apparatus and Method for Interference Mitigation）」と題された、２０１０年３月１７日に出願された国際出願ＰＣＴ／ＣＮ２０１０／０７１１０３号からの優先権を主張し、その両方の内容は、本願明細書に参考として明確に組み込まれる。
【０００２】
本開示は、無線通信ネットワークに関する。
【背景技術】
【０００３】
技術における進歩は、より小型で、より強力な計算デバイスをもたらした。例えば、小型で、軽く、かつユーザによって容易に持ち運ばれる携帯用無線電話、携帯情報端末（ＰＤＡｓ）、およびページングデバイスなどの無線計算デバイスを含むさまざまな携帯用パーソナル計算デバイスが現在存在している。より具体的には、セルラ電話およびインターネットプロトコル（ＩＰ）電話などの、携帯用無線電話が無線ネットワーク上で音声およびデータパケットを通信しうる。多くのこのような無線電話は、エンドユーザに強化された機能を提供するための追加のデバイスを組み込んでいる。例えば、無線電話はまた、デジタルスチルカメラ、デジタルビデオカメラ、デジタルレコーダ、およびオーディオファイルプレーヤを含みうる。また、このような無線電話は、インターネットにアクセスするために使用可能なウェブブラウザアプリケーションなどのソフトウェアアプリケーションを実行しうる。したがって、これらの無線電話は、著しい計算能力を含みうる。
【０００４】
いくつかの無線電話は、複数の無線通信ネットワークと通信しうる。しかしながら、これら無線通信ネットワークのうちの１つへのデータの送信は、これら無線通信ネットワークのうちの別のものからのデータの受信と干渉しうる。この干渉は、（例えば、無線電話におけるパケット損失により、）無線電話におけるパフォーマンスを低下させ、失われたパケットの再送信を引き起こしうる。失われたパケットの再送信はまた、ネットワークリソース（例えば、時間および周波数のリソース）を消費しうる。
【発明の概要】
【０００５】
無線電話またはその他モバイルデバイスが、複数のトランシーバの同時動作をサポートしうる。例えば、モバイルデバイスの第１のトランシーバが、グローバル移動体通信システム（ＧＳＭ）（登録商標）ネットワークと通信でき、また、モバイルデバイスの第２のトランシーバが、高レートパケットデータ（ＨＲＰＤ）ネットワークと通信できる。ＧＳＭネットワークおよびＨＲＰＤネットワークは、個別の周波数帯域（例えば、隣接した周波数帯域）と関連づけられうる。
【０００６】
いくつかの場合において、複数のネットワーク上での同時通信は、複数のネットワークの各々が個別の周波数帯域と関連づけられているのにかかわらず、モバイルデバイスにおいて干渉を引き起こしうる。例えば、ＧＳＭ送信は、ＨＲＰＤ受信のパケットのプリアンブルを受信することと干渉しうる。プリアンブルの不良受信（improper reception）は、モバイルデバイスにパケット全体を放棄（drop）させ、それによって、パケット誤り率（ＰＥＲ）を増加させうる。アンテナ分離またはフィルタによる分離は、ＨＲＰＤ受信から、ＧＳＭ送信によって引き起こされる雑音または妨害電波（jamming）を除去するために使用されうるが、これらの技術は、モバイルデバイスに追加コンポーネントと複雑さを加えうる。
【０００７】
したがって、ＧＳＭ送信とＨＲＰＤ受信との間の干渉を低減させるために、モバイルデバイスは、モバイルデバイスによって干渉が生じることが予測される場合の１つまたは複数の特定された時間スロットの間にモバイルデバイスへ情報を送らないようにネットワークデバイスに指示する、ネットワークデバイスへのメッセージを送りうる。ネットワークデバイスは、どのようにネットワークリソース（例えば、到来する（upcoming）スケジュールされた時間スロット）が割り当てられるべきかを決定するために、このメッセージを分析しうる。
【０００８】
特定の実施形態では、モバイルデバイスを動作する方法が、モバイルデバイスによって、干渉が無線通信チャネルの到来するスケジュールされた時間スロットのセットのうちの１つまたは複数の特定された時間スロットの間に生じうることを予測することと、１つまたは複数の特定された時間スロットの間にモバイルデバイスへ情報を送らないようにネットワークデバイスに指示する、ネットワークデバイスへのメッセージ送ることとを含む。
【０００９】
別の特定の実施形態では、装置は、モバイルデバイスの送信からの干渉が無線通信チャネルの到来するスケジュールされた時間スロットのセットのうちの１つまたは複数の特定された時間スロットの間に生じうることを決定するように構成されたスケジューラを含むプロセッサを含む。このプロセッサは、１つまたは複数の特定された時間スロットを示すスケジューラからのデータを受信するように構成され、かつ受信されたデータをメッセージ中に符号化するようにさらに構成されたメッセージジェネレータをさらに含む。
【００１０】
別の特定の実施形態では、方法が、ネットワークデバイスによって、モバイルデバイスが無線通信チャネルの到来するスケジュールされた時間スロットのセットのうちの１つまたは複数の特定された時間スロットの間にモバイルデバイス送信干渉を示すことをネットワークデバイスに指示する、モバイルデバイスからのメッセージを受信することを含む。
【００１１】
別の特定の実施形態では、装置が、モバイルデバイスからのメッセージを受信する受信機を含む。メッセージは複数のビットを含み、ここで、これらビットの各々は、到来するスケジュールされた時間スロットのセットの時間スロットに対応するビット位置を有する。これらビットの各々はまた、対応する時間スロットの間にモバイルデバイスへ情報を送らないようにするかどうかを示すビット値を有する。この装置は、受信されたメッセージに応答して、モバイルデバイスへの特定された時間スロットで情報を送信するように構成された送信機をさらに含む。例えば、この装置は、アクセスノードのようなネットワークデバイスでありうる。
【００１２】
開示される実施形態のうちの少なくとも１つによって提供される１つの特別な利点が、ネットワークリソースの改善された割り当てである。例えば、ネットワークデバイスは、その間に第１のモバイルデバイスによって干渉が予測される到来するスケジュールされた時間スロットを、第２のモバイルデバイスに再割り当てすることができ、この結果、第１のモバイルデバイスにおける改善されたパフォーマンスと、より良いネットワークリソースの割り当てとがもたらされる。
【００１３】
本開示の他の態様、利点、および特徴が、下記のセクション：図面の簡単な説明、発明を実施するための形態、および特許請求の範囲、を含む本願全体のレビュー後に明白になるであろう。
【図面の簡単な説明】
【００１４】
【図１】図１は、到来するスケジュールされた時間スロットのセットの間に情報を送らないようにネットワークデバイスに指示するメッセージを通信するためのネットワークの特定の実施形態を例示する図である。
【図２】図２は、図１のネットワークの動作の特定の実施形態を例示するタイミング図である。
【図３】図３は、到来するスケジュールされた時間スロットのセットの間に情報を送らないようにネットワークデバイスに指示するメッセージを通信するためのネットワークの別の特定の実施形態を例示する図である。
【図４】図４は、到来するスケジュールされた時間スロットのセットの間に情報を送らないようにネットワークデバイスに指示するメッセージを通信するためのネットワークの別の特定の実施形態を例示する図である。
【図５】図５は、到来するスケジュールされた時間スロットのセットの間に情報を送らないようにネットワークデバイスに指示するメッセージを通信するためのネットワークの別の特定の実施形態を例示する図である。
【図６】図６は、到来するスケジュールされた時間スロットのセットの間に情報を送らないようにネットワークデバイスに指示する方法の特定の実施形態を例示するフロー図である。
【図７】図７は、到来するスケジュールされた時間スロットのセットの間に情報を送らないようにネットワークデバイスに指示するメッセージを受信するネットワークデバイスの方法の特定の実施形態を例示するフロー図である。
【図８】図８は、到来するスケジュールされた時間スロットのセットの間に情報を送らないようにネットワークデバイスに指示するメッセージを送ることをサポートするモバイルデバイスのブロック図である。
【詳細な説明】
【００１５】
図１を参照すると、ネットワーク１００の特定の例示的な実施形態が示され、全般的に１００と指定されている。ネットワーク１００は、モバイルデバイス１１０（例えば、アクセス端末）などの１つまたは複数のモバイルデバイスと無線通信チャネルを使用して通信するように構成されたネットワークデバイス１２０（例えば、アクセスノード）を含みうる。
【００１６】
無線通信チャネルは、ダウンリンク１６０およびアップリンク１７０を含みうる。ネットワークデバイス１２０は、データおよびその他の信号をモバイルデバイス１１０に送信するために、ダウンリンク１６０を使用しうる。同様に、モバイルデバイス１１０は、データおよびその他の信号をネットワークデバイス１２０に送信するために、アップリンク１７０を使用しうる。一般に、ネットワーク１００は、任意の数のモバイルデバイスをサポートすることができ、複数のネットワークデバイスおよび無線通信チャネルを含むことができる。例えば、ネットワーク１００は、異なる地理的な位置（例えば、セル）にそれぞれ対応する複数のネットワークデバイスを含みうる。
【００１７】
無線通信チャネルのダウンリンク１６０は、その間にデータが無線通信チャネルをわたってネットワークデバイス１２０からモバイルデバイス１１０へ送られうる到来するスケジュールされた時間スロットのセット１５０と関連づけられうる。例えば、到来するスケジュールされた時間スロットのセット１５０は、第１の時間スロット１５２、第２の時間スロット１５４、第３の時間スロット１５６、および第４の時間スロット１５８を含みうる。
【００１８】
無線通信チャネルのアップリンク１７０は、メッセージ１３０を送信するために、モバイルデバイス１１０によって使用されうる。メッセージ１３０は、到来するスケジュールされた時間スロットのセット１５０のうちの１つまたは複数の特定された時間スロットの間にモバイルデバイス１１０へ情報を送らないようにネットワークデバイス１２０に指示しうる。例えば、メッセージ１３０は、モバイルデバイス１１０による送信に起因する潜在的な干渉を回避するために、その間にネットワークデバイス１２０がモバイルデバイス１１０へ情報を送るべきでない、到来するスケジュールされた時間スロットのセット１５０のうちの１つまたは複数の特定された時間スロットを示すマスクビット１４０（例えば、マスクビットのパターン）を含みうる。
【００１９】
マスクビット１４０は、複数のビットを含みうる。例えば、マスクビット１４０は、第１のビット１４２、第２のビット１４４、第３のビット１４６、および第４のビット１４８を含みうる。これらビットの各々は、到来するスケジュールされた時間スロット１５２−１５８のうちの１つに対応するビット位置を有しうる。例えば、図１に示されるように、第１のビット１４２は、第１の時間スロット１５２に対応するビット位置を有し、第２のビット１４４は、第２の時間スロット１５４に対応するビット位置を有し、第３のビット１４６は、第３の時間スロット１５６に対応するビット位置を有し、第４のビット１４８は、第４の時間スロット１５８に対応するビット位置を有する。特定の実施形態によると、ビット位置の順序が逆にされうる。例えば、図１は、ネットワークデバイス１２０が、他のビット１４２−１４６を受信する前に、第４のビット１４８を受信でき、そのために、他の時間スロット１５４−１５８をスケジュールする前に、第１の時間スロット１５２をスケジュールできることを図示しているので、第４のビット１４８は、第４の時間スロット１５８の代わりに第１の時間スロット１５２に対応しうる。
【００２０】
複数のビット１４２−１４８の各々は、ネットワークデバイス１２０が到来するスケジュールされた時間スロットのうちの１つの間に情報が送られることがないようにすべきかどうかを示す、ビット値を有しうる。例えば、図１に示されるように、第１のビット１４２は、第１の時間スロット１５２の間に情報がネットワークデバイス１２０からモバイルデバイス１１０へ送られるべきでないことを示すビット値「０」を有する（即ち、干渉が第１の時間スロット１５２の間にモバイルデバイス１１０において予測されるということ）。図１は、第２のビット１４４、第３のビット１４６、および第４のビット１４８の各々が、それぞれ第２の時間スロット１５４の間、第３の時間スロット１５６の間、および第４の時間スロット１５８の間に、情報がネットワークデバイス１２０からモバイルデバイス１１０へ送られうることを示すビット値「１」を有することをさらに示す。一般に、マスクビット１４０は、任意の数の「１」および任意の数の「０」を有しうる（例えば、到来するスケジュールされた時間スロットのセット１５０の各時間スロットは、マスクビット１４０に従ってマスクされうる）。
【００２１】
特定の実施形態によると、マスクビット１４０は、データレート制御（ＤＲＣ）値と同時にネットワークデバイス１２０へ送信されるＤＲＣマスクである。ＤＲＣ値は、図３を参照して、より詳細に説明される。特定の実施形態では、ＤＲＣマスクは、１、２、４、または８ビットになるように設定可能である。
【００２２】
動作時に、モバイルデバイス１１０は、無線通信チャネルの到来するスケジュールされた時間スロットのセットのうちの１つまたは複数の特定された時間スロットが、第２のネットワークデバイス（例えば、第２のアクセスノードまたはその他の電子デバイス）へのモバイルデバイス１１０によって行われた送信による干渉（例えば、周波数オーバーラップ（frequnecy overlap））を経験しうることを予測しうる。特定の例示的な実施形態によると、モバイルデバイス１１０のスケジューラは、到来するスケジュールされてないグローバル移動体通信システム（ＧＳＭ）送信と、到来するスケジュールされた高レートパケットデータ（ＨＲＰＤ）受信とを比較することによって、干渉が生じるであろうことを予測しうる。例えば、モバイルデバイス１１０は、同時にＨＲＰＤおよびＧＳＭのネットワークと通信するように動作可能なデュアル（dual）ＨＲＰＤ／ＧＳＭモバイルデバイスでありうる。さらなる実施形態によると、干渉は、到来するスケジュールされた送信と到来するスケジュールされた受信との間で予測されうる。例えば、干渉は、Ｂｌｕｅｔｏｏｔｈ（登録商標）または無線ローカルエリアネットワーク（ＷＬＡＮ）送信と、ロングタームエボリューション（ＬＴＥ）または高速パケットアクセス（ＨＳＰＡ）受信との間で予測されうる。一般に、干渉は、モバイルデバイス１１０のスケジューラが、送信が衝突または干渉を引き起こすであろうことを予測可能である限り、スケジュールされたまたはスケジュールされてない到来する送信により予測されうる。
【００２３】
干渉が生じうると予測することに応答して、モバイルデバイス１１０は、１つまたは複数の特定された時間スロット（例えば、予測されたモバイル送信干渉と関連づけられる１つまたは複数の時間スロット）の間にモバイルデバイス１１０へ情報を送らないようにネットワークデバイス１２０に指示する、ネットワークデバイス１２０へのメッセージ１３０を送信しうる。例えば、図１は、第１の時間スロット１５２の間に情報がネットワークデバイス１２０によってモバイルデバイス１１０へ送られることがないようにされるべきであることを示すマスクビット１４０を含む、メッセージ１３０を示す。したがって、ネットワークデバイス１２０が、第１の時間スロット１５２の間にモバイルデバイス１１０へ情報を送信するようにスケジュールされている場合、ネットワークデバイス１２０は、第２の時間スロット１５４、第３の時間スロット１５６、および第４の時間スロット１５８まで、情報が送られることがないようにしうる（例えば、遅延する）。
【００２４】
図１のネットワーク１００は、モバイルデバイス１１０において干渉を低減しうることが理解されるであろう。例えば、情報が第１の時間スロット１５２の間にモバイルデバイス１１０へ送られることがないようにすることによって、ネットワークデバイス１２０から受信される情報と、第２のネットワークデバイスへのその他のデータのモバイルデバイス１１０による送信との間の干渉が低減されうる。具体的には、ネットワークデバイス１２０が、第２の時間スロット１５４まで、プリアンブルを含む情報を送らないようにする（例えば、遅延する）場合、（例えば、パケットの先頭を受信することと、別のネットワークデバイスへのモバイルデバイス１１０による同時の送信との間の）プリアンブル衝突が防止されることができ、したがって、モバイルデバイス１１０において、放棄されるパケットと、それに伴うパケット誤り率（ＰＥＲ）の増加とを回避する。干渉が、到来する時間スロットにおいて生じることが予測されることを示すメッセージを送信することの例示的なインプリメンテーションは、図３、図４、および図５に関連してさらに説明される。
【００２５】
図２を参照すると、モバイルデバイスの動作と関連づけられるタイミング図の特定の例示的な実施形態が示され、全般的に２００と指定されている。タイミング図２００は、図１のモバイルデバイス１１０の動作に対応しうる。
【００２６】
タイミング図２００は、一般に、ＧＳＭネットワークデバイスへのモバイルデバイスによるグローバル移動体通信システム（ＧＳＭ）送信２２０と、ＨＲＰＤネットワークデバイスからのモバイルデバイスによるスケジュールされた高レートパケットデータ（ＨＲＰＤ）受信２３０と、ＨＲＰＤネットワークデバイスへモバイルデバイスによって送られるデータレート制御（ＤＲＣ）マスク２４０と、の状態を図示する。ＧＳＭ送信２２０およびスケジュールされたＨＲＰＤ受信２３０は、一般に任意のタイプの送信および受信であることができ、ＧＳＭおよびＨＲＰＤに限定されないことが理解されるべきである。例えば、送信は、Ｂｌｕｅｔｏｏｔｈ送信または無線ローカルエリアネットワーク（ＷＬＡＮ）送信であることができ、受信は、ロングタームエボリューション（ＬＴＥ）受信または高速パケットアクセス（ＨＳＰＡ）受信であることができる。
【００２７】
ＧＳＭ送信２２０は、複数の所定の時間間隔を含みうる。例えば、ＧＳＭ送信２２０は、その間に情報がモバイルデバイスからＧＳＭネットワークデバイスへ送信される第１の送信時間間隔２２２、第２の送信時間間隔２２４、および第３の送信時間間隔２２６を含みうる。
【００２８】
スケジュールされたＨＲＰＤ受信２３０は、到来するスケジュールされた時間スロット（例えば、ＨＲＰＤネットワークデバイスからモバイルデバイスへの無線通信チャネルのダウンリンクの時間スロット）のセット２３１を含みうる。例えば、スケジュールされたＨＲＰＤ受信２３０は、第１の時間スロット２３２、第２の時間スロット２３４、第３の時間スロット２３６、および第４の時間スロット２３８を含みうる。特定の実施形態によると、到来するスケジュールされた時間スロットのセット２３１は、図１の到来するスケジュールされた時間スロットのセット１５０に対応しうる。
【００２９】
モバイルデバイスは、ＧＳＭ送信２２０が、時間スロットのセットの間にＨＲＰＤネットワークデバイスからの情報の受信と干渉しうることを決定しうる。例えば、図２は、第２の送信時間間隔２２４が、第２の時間スロット２３４の間にＨＲＰＤネットワークデバイスからの情報の受信と干渉する（例えば、モバイルデバイス送信干渉を引き起こす）可能性があることを図示する。
【００３０】
ＧＳＭ送信２２０が、第２の時間スロット２３４の間にＨＲＰＤネットワークデバイスからの情報の受信と干渉しうると決定することに応答して、モバイルデバイスは、ＨＲＰＤネットワークデバイスへ送られるメッセージ（例えば、ＤＲＣマスク２４０）を生成しうる。このメッセージは、１つまたは複数の特定された時間スロット（例えば、第２の時間スロット２３４）について、モバイルデバイスがモバイルデバイス送信干渉を示すことをＨＲＰＤネットワークデバイスに示しうる。
【００３１】
ＤＲＣマスク２４０は、複数のビット２４１を含みうる。ＤＲＣマスク２４０の複数のビット２４１の各々は、到来するスケジュールされた時間スロットのセット２３１のうちの１つに対応するビット位置を有しうる。例えば、複数のビット２４１は、第１の時間スロット２３２に対応するビット位置を有する第１のビット２４２、第２の時間スロット２３４に対応するビット位置を有する第２のビット２４４、第３の時間スロット２３６に対応するビット位置を有する第３のビット２４６、および第４の時間スロット２３８に対応するビット位置を有する第４のビット２４８を含みうる。
【００３２】
ＤＲＣマスク２４０の複数のビット２４１は、予測された干渉を示すビット値をそれぞれ含むことができ、かつスケジュールされた対応する時間スロットの間に情報がＨＲＰＤネットワークデバイスからモバイルデバイスへ送られることがないようにされるべきかどうかを示すことができる。図２は、第２のビット２４４が、ネットワークデバイスが第２の時間スロット２３４の間にモバイルデバイスへ情報を送らないようにすべきであることを示す、ビット値「０」を有することを示す。ビット値「０」は、モバイルデバイスが第２の時間スロット２３４の間にモバイルデバイスによる送信に起因する干渉を予測するので、設定される。さらに、図２は、第１のビット２４２が、ネットワークデバイスは第１の時間スロット２３２の間に情報がモバイルデバイスへ送られるのを阻止すべきでないことを示す、ビット値「１」を有することを示す。同様に、図２は、第３のビット２４６および第４のビット２４８の各々が、それぞれネットワークデバイスは第３の時間スロット２３６の間および第４の時間スロット２３８の間に、モバイルデバイスへ情報を送りうることを示す、ビット値「１」を有することを示す。代替の実施形態では、ビット値「１」は、情報を送らないようにすることを示しうる、そして、ビット値「０」は、情報を送るのを阻止することを示しうることが理解されるであろう。
【００３３】
理解されるように、図２のタイミング図２００に従って動作するモバイルデバイスは、干渉が生じることが予測される場合の時間スロットの間にＨＲＰＤネットワークデバイスからの信号の受信を回避しうる。そのような通信を回避することによって、モバイルデバイスは、モバイルデバイスのサイズ制約を考慮すると、非実用的でありうるアンテナ分離などの物理的な干渉緩和技術を使用することなく動作しうる。モバイルデバイスは、（例えば、スケジュールされたＨＲＰＤ受信２３０から、ＧＳＭ送信２２０と関連づけられる信号をフィルタで除去するハードウェアまたはソフトウェアを加えることによって、）デバイスの複雑さを典型的に増加しうるフィルタによる分離なしでさらに動作しうる。
【００３４】
図３を参照すると、典型的なモバイルデバイス３１０および通信システム３００の特定の例示的な実施形態が示されている。特定の例示的な実施形態では、図３のモバイルデバイス３１０および通信システム３００は、図１のネットワーク１００のそれらと同様の特徴を含み、図２のタイミング図２００を参照して説明されたように動作しうる。
【００３５】
通信システム３００は、第１のセル３２３に対応する第１の基地局３２５を含む第１のネットワーク（例えば、ＧＳＭネットワーク）のチャネル３２４を含みうる。第１の基地局３２５は、第１のネットワークデバイス３２６（例えば、アクセスノード）と通信状態にありうる。第１のネットワークデバイス３２６は、第１の基地局３２５において配置されうるか、あるいは別個にされうる。第１のネットワークデバイス３２６は、モバイルデバイスからのメッセージ（例えば、呼）を受信して処理する第１のネットワークの部分を含みうる。
【００３６】
通信システム３００は、第２のネットワークをさらに含みうる。第２のネットワークは、第２のセル３２７に対応する第２の基地局３２９を含む高レートパケットデータ（ＨＲＰＤ）ネットワークでありうる。第２の基地局３２９は、第２のネットワークデバイス３３０（例えば、アクセスノード）と通信状態にありうる。第２のネットワークデバイス３３０は、第２の基地局３２９において配置されうるか、あるいは別個にされうる。第２のネットワークデバイス３３０は、モバイルデバイスからのメッセージ（例えば、呼）を受信して処理する第２のネットワークの部分を含みうる。
【００３７】
第２のネットワークは、拡張されたデータレート制御（ＤＲＣ）チャネル３２８（例えば、アップリンクチャネルのセットにおける制御チャネル）と、ダウンリンクデータチャネル３３８（例えば、第２の基地局３２９からモバイルデバイス３１０へ送られるデータを運ぶ（bears）チャネル）とを含みうる。図３には例示されていないが、第２のネットワークは他のチャネルを含みうる。例えば、第２の基地局３２９を介して、モバイルデバイス３１０から第２のネットワークデバイス３３０へ送られるデータを運ぶアップリンクデータチャネルが提供されうる。第２のネットワークは、第２のネットワークデバイス３３０から基地局３２９を介してモバイルデバイス３１０へ送られる制御データを運ぶダウンリンク制御チャネルをさらに含みうる。
【００３８】
モバイルデバイス３１０（例えば、アクセス端末）は、プロセッサ３１２、第１のトランシーバ３１６、第１のアンテナ３２０、第２のトランシーバ３１８、および第２のアンテナ３２２を含みうる。プロセッサ３１２は、スケジューラ３１３およびメッセージジェネレータ３１４を含みうる。ここで使用される場合、「トランシーバ」は、単一のトランシーバまたは受信機／送信機ペアを含みうる。
【００３９】
モバイルデバイス３１０は、第１のトランシーバ３１６および第２のトランシーバ３１８を使用して通信するように構成されうる。例えば、モバイルデバイス３１０は、第１のトランシーバ３１６および第１のアンテナ３２０を使用して、第１のネットワークデバイス３２６と通信しうる。別の例として、モバイルデバイス３１０は、第２のトランシーバ３１８および第２のアンテナ３２２を使用して、第２のネットワークデバイス３３０と通信しうる。
【００４０】
モバイルデバイス３１０は、無線通信チャネルを使用して、第１のネットワークデバイス３２６と、および第２のネットワークデバイス３３０と通信しうる。例えば、モバイルデバイス３１０は、第１のネットワークのチャネル３２４を使用して、第１のネットワークデバイス３２６と通信しうる。別の例として、モバイルデバイス３１０は、第２のネットワークの拡張されたＤＲＣチャネル３２８を使用して、第２のネットワークデバイス３３０へ制御データを通信しうる。
【００４１】
拡張されたＤＲＣチャネル３２８は、ＤＲＣ値３４４をモバイルデバイス３１０から第２のネットワークデバイス３３０へ送信するように構成されうる。ＤＲＣ値３４４は、データが第２のネットワークデバイス３３０からモバイルデバイス３１０へ送られる要求されたデータレートを示しうる（例えば、モバイルデバイス３１０へ各到来するデータパケットを送信するために使用されるスロットの数）。ネットワークはまた、ＤＲＣ長を定義しうる。例えば、ＤＲＣ値は、ＤＲＣ長によって定義される周期性に従って送信されることができ、変化するチャネル状態に応答して、モバイルデバイス３１０によって調整されることができる。例えば、ＤＲＣ値３４４は、有利なチャネル状態に応答して、より高い要求されたデータレートを示すことができ、また、不利なチャネル状態に応答して、より低い要求されたデータレートを示すことができる。別の例として、ＤＲＣ値３４４は、アップリンク干渉を緩和するために、そしてより安定したチャネル状態に応答して、より低い頻度で送信される（例えば、より長い長さを持つ）ことができ、より動的なチャネル状態に応答して、より頻繁に送信される（例えば、より短い長さを持つ）ことができる。
【００４２】
拡張されたＤＲＣチャネル３２８は、データレート制御（ＤＲＣ）マスク３４２（例えば、図１のマスクビット１４０または図２のＤＲＣマスク２４０）を、モバイルデバイス３１０から第２のネットワークデバイス３３０へ送信するようにさらに構成されうる。特定の例示的な実施形態では、拡張されたＤＲＣチャネル３２８は、ＤＲＣ値３４４とＤＲＣマスク３４２とを含むプロトコルデータ単位３４０を送信するように構成されうる。ＤＲＣマスク３４２は、ＤＲＣ値３４４と同時に送信されうる。特定の例示的な実施形態では、ＤＲＣマスク３４２は複数のビットを含むことができ、これらビットの各々は、到来するスケジュールされた時間スロットのうちの１つに対応するビット位置を有し、対応する時間スロットの間に情報が送られることがないようにされるべきであることを示すビット値をさらに有する。
【００４３】
動作時に、プロセッサ３１２は、（例えば、第１のトランシーバ３１６から第１のネットワークデバイス３２６への送信と、第２のネットワークデバイス３３０からの第２のトランシーバ３１８における情報の受信との間で、）干渉が無線通信チャネルの到来するスケジュールされた時間スロットのセットのうちの１つまたは複数の特定された時間スロットの間に生じうることを決定しうる。具体的には、スケジューラ３１３は、到来するスケジュールされた時間スロットのセットを、その間にデータが第１のトランシーバ３１６と第１のアンテナ３２０を使用して第１のネットワークデバイスへ送信される到来する時間間隔と比較しうる。スケジューラ３１３が、干渉が、到来するスケジュールされた時間スロットのセットのうちの１つまたは複数の特定された時間スロットと、第１のネットワークデバイス３２６へのデータの送信との間で生じうると決定した場合、メッセージジェネレータ３１４は、第２のアンテナ３２２と第２のトランシーバ３１８とを使用して第２のネットワークデバイス３３０へモバイルデバイス３１０によって送信されるメッセージを生成しうる。メッセージは、モバイルデバイス３１０から第２のネットワークデバイス３３０へ送られることができ、モバイルデバイス３１０が到来するスケジュールされた時間スロットのセットのうちの１つまたは複数の時間スロットの間にモバイルデバイス送信干渉を示すことを第２のネットワークデバイス３３０に指示する。
【００４４】
メッセージを受信することに応答して、第２のネットワークデバイス３３０は、特定された時間スロットの間にモバイルデバイス３１０へ情報を送らないようにしうる（例えば、遅延する）。第２のネットワークデバイス３３０は、干渉が予測されない場合の時間スロットの間に（例えば、ダウンリンクデータチャネル３３８を介して）モバイルデバイス３１０へ情報を送りうる。
【００４５】
理解されるように、図３の実施形態は、モバイルデバイスと複数のネットワークデバイスとの間の情報通信間の干渉を低減しうる。干渉の低減は、（例えば、ネットワークデバイスに、その間に干渉が予測される時間スロットの再割り当てを可能にすることによって、）ネットワークリソースのより効率的な使用を提供しうる。さらに、図３の実施形態は、既存のシステムリソースを使用するメッセージの送信を可能にすることによって、システムリソースの効率的な使用を可能にしうる。
【００４６】
さらに理解されるように、図３の実施形態は、ＤＲＣ長が、到来するスケジュールされた時間スロットの要求された数と関連づけられうるという特徴を利用する。ＤＲＣ長は、一般に、次のＤＲＣ値が送信されるまでの、要求された到来するスケジュールされた時間スロットの数を示すので、複数のＤＲＣマスクビットが、要求された到来するスケジュールされた時間スロットの間に情報が送られうるかどうかを示すＤＲＣ値と同時に送信されうることが理解されるであろう。このプロセスは、一般に、モバイルデバイス３１０から送信される各々の連続的なＤＲＣ値について繰り返されうる。
【００４７】
図４を参照すると、通信システム４００およびモバイルデバイス４１０の特定の例示的な実施形態が示されている。モバイルデバイス４１０および通信システム４００は、図３のモバイルデバイス３１０および通信システム３００のコンポーネントと同様のコンポーネントを含みうる。例えば、図４のモバイルデバイス４１０、第１のネットワークデバイス４２６、および第２のネットワークデバイス４３０は、それぞれ図３のモバイルデバイス３１０、第１のネットワークデバイス３２６、および第２のネットワークデバイス３３０と同様に動作しうる。
【００４８】
モバイルデバイス４１０は、第１のネットワーク（例えば、ＧＳＭネットワーク）のチャネル４２４を使用して、第１のネットワークデバイス４２６と通信しうる。モバイルデバイス４１０は、第２のネットワーク（例えば、ＨＲＰＤネットワーク）の専用ＤＲＣマスクチャネル４２８を使用して、第２のネットワークデバイス４３０とさらに通信しうる。専用ＤＲＣマスクチャネル４２８は、専用チャネルでありうる（例えば、専用ＤＲＣマスクチャネル４２８は、予測された干渉に関するネットワークデバイスへのメッセージを送信すること専用でありうる）。専用ＤＲＣマスクチャネル４２８は、モバイルデバイス４１０によって、第２のネットワークデバイス４３０に送信制御情報（例えば、予測された干渉に関する情報）を送信するために使用されうる。第２のネットワークデバイス４３０は、モバイルデバイス４１０へデータを送信するために、ダウンリンクデータチャネル（例えば、図４のダウンリンクデータチャネル４３８）を使用しうる。
【００４９】
図４は、干渉が無線通信チャネルの到来するスケジュールされた時間スロットのうちの１つまたは複数の特定された時間スロットの間に生じうることを決定するための手段（例えば、スケジューラ４１３）と、１つまたは複数の特定された時間スロットを示す、データをメッセージ中に符号化するための手段（例えば、メッセージジェネレータ４１４）とを説明する。図４は、ＧＳＭデータを送信するための手段（例えば、第１のトランシーバ４１６）と、ＨＲＰＤデータを受信するための手段（例えば、第２のトランシーバ４１８）とを説明する。
【００５０】
動作時に、モバイルデバイス４１０のスケジューラ４１３は、干渉が、１つまたは複数の時間スロットの間の第２のネットワークデバイス４３０からの情報の受信と、第１のネットワークデバイス４２６へのモバイルデバイス４１０による送信とにより生じうることを予測しうる。例えば、スケジューラ４１３は、干渉が、到来するスケジュールされた時間スロットのセットのうちの１つまたは複数の特定された時間スロットの間に生じうることを決定しうる。干渉を予測することに応答して、メッセージジェネレータ４１４は、到来するスケジュールされた時間スロットのセットのうちの１つまたは複数の特定された時間スロットの間にモバイルデバイス４１０へ情報を送らないように第２のネットワークデバイス４３０に指示する、第２のネットワークデバイス４３０へ送られるメッセージ４５０を生成しうる。
【００５１】
メッセージ４５０は、図４の第２のネットワークの専用ＤＲＣマスクチャネル４２８のような専用チャネルを使用して、第２のネットワークデバイス４３０へ送られうる。専用ＤＲＣマスクチャネル４２８は、物理チャネルでありうる。専用ＤＲＣマスクチャネル４２８は、専用ＤＲＣマスクチャネル４２８を介して送られるデータを符号化するために使用される固有のウォルシュ符号と関連づけられうる。例えば、ウォルシュ符号は、第２のネットワークの他のチャネルを使用して送られる他のデータを符号化するために使用される他の符号と直交しうる。
【００５２】
メッセージ４５０は、複数のビットを含むデータレート制御（ＤＲＣ）マスク４５２（例えば、マスクビットのパターン）を含むことができ、これらビットの各々は、到来するスケジュールされた時間スロットのうちの１つに対応するビット位置を有し、かつスケジュールされた対応する時間スロットの間に情報がモバイルデバイス４１０へ送られることがないようにされるべきであることを示すビット値を有する。特定の例示的な実施形態では、専用ＤＲＣマスクチャネル４２８は、各アップリンク時間スロットにおいて、１ビットを送信する。
【００５３】
第２のネットワークデバイス４３０は、メッセージ４５０を受信して、１つまたは複数の特定された時間スロットにおいて、モバイルデバイス４１０へ情報を送らないようにするかどうかを決定しうる。第２のネットワークデバイス４３０は、（例えば、ダウンリンクデータチャネル４３８を使用して）モバイルデバイス４１０へ情報を送信するために、到来するスケジュールされた時間スロットのセットのうちの特定されてない時間スロットを使用しうる。
【００５４】
図５を参照すると、通信システム５００およびモバイルデバイス５１０の特定の例示的な実施形態が示されている。モバイルデバイス５１０および通信システム５００は、図３のモバイルデバイス３１０および通信システム３００、図４のモバイルデバイス４１０および通信システム４００、またはその組み合わせのコンポーネントと同様のコンポーネントを含みうる。例えば、モバイルデバイス５１０は、図３のモバイルデバイス３１０または図４のモバイルデバイス４１０を参照して説明されたように動作しうる。別の例として、通信システム５００は、図３の第１のネットワークデバイス３２６または図４の第１のネットワークデバイス４２６を参照して説明されたように動作する第１のネットワークデバイス５２６を含みうる。通信システム５００は、図３の第２のネットワークデバイス３３０または図４の第２のネットワークデバイス４３０を参照して説明されたように動作する第２のネットワークデバイス５３０をさらに含みうる。
【００５５】
モバイルデバイス５１０は、第１のネットワーク（例えば、ＧＳＭネットワーク）のチャネル５２４を使用して、第１のネットワークデバイス５２６と通信しうる。モバイルデバイス５１０は、ＤＳＣカバーを搬送するデータソース制御（ＤＳＣ）チャネル５２８を使用して、および第２のネットワークデバイス５３０からモバイルデバイス５１０へデータを運ぶダウンリンクデータチャネル５４０を使用して、第２のネットワークデバイス５３０と通信しうる。ＤＳＣチャネル５２８、他のアップリンク制御およびデータのチャネル、およびダウンリンクデータチャネル５４０は、第２のネットワーク（例えば、ＨＲＰＤネットワーク）に含まれうる。
【００５６】
ＤＳＣチャネル５２８は、（例えば、無線電話呼の到来するハンドオフを示すために、）他のネットワークデバイスを示すＤＳＣカバーを運びうる。特定の例示的な実施形態では、ＤＳＣカバーは、モバイルデバイス５１０が通信状態にありうる８個のネットワークデバイスに対応する８つまでのＤＳＣカバーを含む。ＤＳＣカバーは、ウォルシュ符号（例えば、直交符号）でありうる。
【００５７】
ＤＳＣカバーは、干渉が、対応する到来する時間スロットの間に予測されることを示す指定されたＤＳＣカバーを含みうる。例えば、図５は、干渉が予測される場合の特定された時間スロット（例えば、その間にＤＳＣカバー５５２が送信される時間スロットの後の次に到来する時間スロット）を示す指定されたＤＳＣカバー５５２を示す。モバイルデバイス５１０が、第２のネットワークデバイス５３０に（例えば、ＤＳＣチャネル５２８を介して）指定されたＤＳＣカバー５５２を送信する場合、第２のネットワークデバイス５３０は、対応する到来する時間スロットにおいて、データがモバイルデバイス５１０へ送信されることがないようにしうる。モバイルデバイス５１０が、ネットワークデバイス５３０へ（例えば、ＤＳＣチャネル５２８を介して）指定されたＤＳＣカバー５５２以外のＤＳＣカバーを、送信する場合、他のＤＳＣカバーに対応する到来する時間スロットは、（例えば、ダウンリンクデータチャネル５４０を使用して、）第２のネットワークデバイス５３０からモバイルデバイス５１０への通常のダウンリンクデータ送信のために使用されうる。
【００５８】
動作時に、モバイルデバイス５１０のプロセッサ５１２のスケジューラ５１３は、干渉が、第２のネットワークと関連づけられる到来するスケジュールされた時間スロットのセットのうちの１つまたは複数の特定された時間スロットの間に、モバイルデバイス５１０からの送信により生じうることを予測しうる。予測された干渉に応答して、プロセッサ５１２のメッセージジェネレータ５１４は、１つまたは複数の特定された時間スロットの間にモバイルデバイス５１０へ情報を送らないように第２のネットワークデバイス５３０に指示する、第２のネットワークデバイス５３０へ送られるメッセージを生成しうる。特定の例示的な実施形態では、メッセージは、ＤＳＣチャネル５２８を介して第２のネットワークデバイス５３０へ送信されうる。メッセージは、図５の指定されたＤＳＣカバー５５２であることができ、また、干渉が予測される場合の特定された時間スロットを示すことができる。
【００５９】
ネットワークデバイス５３０は、メッセージを受信して、干渉が予測される場合の１つまたは複数の特定された時間スロットの間にモバイルデバイス５１０へ情報を送らないようにするかどうかを決定するために、受信されたメッセージを分析しうる（例えば、復号する）。その後、ネットワークデバイス５３０は、（例えば、ダウンリンクデータチャネル５４０を使用して）モバイルデバイス５１０に情報を送信するために、（干渉が予測されない場合の）到来するスケジュールされた時間スロットのうちのその他の時間スロットを使用しうる。
【００６０】
理解されるように、図５の実施形態は、モバイルデバイスにおける同時のデータの送信と受信によって引き起こされる干渉を低減させることを可能にしうる。具体的には、図５の実施形態は、干渉が予測される場合の特定された時間スロットを示すために、指定されたＤＳＣカバーを利用しうる。指定されたＤＳＣカバーは、モバイルデバイスがすべての利用可能なＤＳＣカバーよりも少ない数を使用しうる（例えば、モバイルデバイスは、８個よりも少ない数のネットワークデバイスと通信状態にありうる）ので、ＤＳＣカバーのセットのうちの未使用のＤＳＣカバーでありうる。
【００６１】
図６を参照すると、到来するスケジュールされた時間スロットのセットの間にモバイルデバイスへ情報を送らないようにネットワークデバイスに指示する方法の特定の例示的な実施形態が示され、全般的に６００と指定されている。方法６００は、図１のモバイルデバイス１１０、図３のモバイルデバイス３１０、図４のモバイルデバイス４１０、および図５のモバイルデバイス５１０、によって実行されうる。
【００６２】
方法６００は、６１０において、モバイルデバイスによって、干渉が無線通信チャネルの１つまたは複数の特定された時間スロットの間に生じうることを予測することを含む。特定の例示的な実施形態によると、干渉は、モバイルデバイスによる（例えば、第２のネットワークからの）情報の受信と干渉しうる、（例えば、第１のネットワークへ）モバイルデバイスによって送られる送信に基づいて予測される。例えば、送信は、ＧＳＭ送信であることができ、受信は、ＨＲＰＤ受信であることができる。１つまたは複数の特定された時間スロットは、その間にＨＲＰＤデータがモバイルデバイスによって受信されるスケジュールされたＨＲＰＤ時間スロットでありうる。さらなる実施形態によると、送信は、Ｂｌｕｅｔｏｏｔｈ送信または無線ローカルエリアネットワーク（ＷＬＡＮ）送信であることができ、受信は、ロングタームエボリューション（ＬＴＥ）受信または高速パケットアクセス（ＨＳＰＡ）受信であることができる。
【００６３】
方法６００は、６２０において、１つまたは複数の特定された時間スロットの間にモバイルデバイスへ情報を送らないようにネットワークデバイスに指示する、ネットワークデバイスへのメッセージを送ることをさらに含む。このネットワークデバイスは、図１のネットワークデバイス１２０、図３の第２のネットワークデバイス３３０、図４の第２のネットワークデバイス４３０、または図５の第２のネットワークデバイス５３０でありうる。このメッセージは、図１のメッセージ１３０、図２のＤＲＣマスク２４０、図３のＰＤＵ３４０、図４のメッセージ４５０、または図５の指定されたＤＳＣカバー５５２でありうる。
【００６４】
方法６００は、６３０において、モバイルデバイスの第１のトランシーバを介して送信を送ることと、モバイルデバイスの第２のトランシーバを介して情報を受信することとをさらに含むことができ、ここで、送信を送ることは、情報を受信することと干渉しない。例えば、ネットワークデバイスは、干渉が予測されない場合の時間スロットまで、モバイルデバイスへ情報を送ることをリスケジュールする（例えば、遅延する）ことができ、したがって、干渉を回避する。特定の例示的な実施形態によると、ネットワークデバイスが、干渉が予測される場合の１つまたは複数の特定された時間スロットにおいて、モバイル端末へ情報を送る場合、干渉された信号（例えば、パイロットまたは媒体アクセスチャネル（ＭＡＣ）のシンボルとデータチャネルシンボルとの間の干渉）は、モバイルデバイスにおいて消去されうる。別の特定の例示的な実施形態によると、モバイルデバイスの受信機は、干渉が予測される場合の特定された時間スロットの間にパワーダウン（power down）される。
【００６５】
図７を参照すると、到来するスケジュールされた時間スロットのセットの間に情報を送らないようにネットワークデバイスに指示するメッセージを受信するネットワークデバイスの方法の特定の例示的な実施形態が示され、全般的に７００と指定されている。方法７００は、図１のネットワークデバイス１２０、図３の第２のネットワークデバイス３３０、図４の第２のネットワークデバイス４３０、および図５の第２のネットワークデバイス５３０によってインプリメントされうる。
【００６６】
方法７００は、７１０において、ネットワークデバイスによって、無線通信チャネルの到来するスケジュールされた時間スロットのセットのうちの１つまたは複数の特定された時間スロットの間にモバイルデバイスへ情報を送らないようにネットワークデバイスに指示するメッセージを受信することを含む。特定の例示的な実施形態では、このモバイルデバイスは、図１のモバイルデバイス１１０、図３のモバイルデバイス３１０、図４のモバイルデバイス４１０、または図５のモバイルデバイス５１０でありうる。
【００６７】
方法７００は、７２０において、メッセージを複数のマスクビットに復号化することをさらに含むことができ、ここで、これらマスクビットの各々は、到来するスケジュールされた時間スロットのうちの１つに対応するビット位置を有し、かつ到来するスケジュールされた時間スロットのうちの１つの間に情報が送られることがないようにされるべきかどうかを示すビット値を有する。特定の例示的な実施形態では、このメッセージは、図１のメッセージ１３０、図３のＰＤＵ３４０、図４のメッセージ４５０、または図５の指定されたＤＳＣカバー５５２でありうる。
【００６８】
方法７００は、７３０において、情報が１つまたは複数の特定された時間スロットの間にモバイルデバイスへ送られるようにスケジュールされるべきかどうかを決定することをさらに含みうる。情報が１つまたは複数の特定された時間スロット（即ち、モバイルデバイスによる送信に起因する予測された干渉に対応する時間スロット）の間にモバイルデバイスへ送られるようにスケジュールされていないことが決定された場合、７５０において、この方法は終了する。情報が１つまたは複数の特定された時間スロットの間にモバイルデバイスへ送られるようにスケジュールされていることが決定された場合、７４０において、１つまたは複数の特定された時間スロットのうちの少なくとも１つは、このモバイルデバイスから第２のモバイルデバイスに再割り当てされうる。１つまたは複数の時間スロットのうちの少なくとも１つを第２のモバイルデバイスに再割り当てすることは、（例えば、パケット損失を引き起こす、）モバイルデバイスにおける送信干渉の可能性を低減しうる。方法７００は、７５０で終了する。
【００６９】
図８を参照すると、到来するスケジュールされた時間スロットのセットの間にモバイルデバイスへ情報を送らないようにネットワークデバイスに指示するメッセージを送ることをサポートするモバイルデバイスのブロック図が示され、全般的に８００と指定されている。１つの実施形態では、モバイルデバイス８００またはそのコンポーネントは、図１のモバイルデバイス１１０、図３のモバイルデバイス３１０、図４のモバイルデバイス４１０、図５のモバイルデバイス５１０、またはこれらの組み合わせを含むか、あるいはこれらに内蔵されうる。図６に説明された方法６００のすべてまたは一部が、モバイルデバイス８００において、またはモバイルデバイス８００によって、実行されうる。さらに、モバイルデバイス８００は、図２のタイミング図２００に従って動作しうる（例えば、モバイルデバイス８００は、到来するスケジュールされた送信および受信に基づいて干渉を予測しうる）。
【００７０】
モバイルデバイス８００は、スケジューラ８７４とメセージジェネレータ８７５とを含むデジタル信号プロセッサ（ＤＳＰ）８１０のようなプロセッサを含む。図８に例示される実施形態では、モバイルデバイス８００は、第１のトランシーバ８７０および第１のアンテナ８４３をさらに含む。第１のトランシーバ８７０および第１のアンテナ８４３は、特定のネットワーク（例えば、ＧＳＭネットワーク）と関連づけられうる。
【００７１】
ＤＳＰ ８１０は、命令８４０を含むメモリ８３２に結合されうる。メモリ８３２は、命令８４０を記憶する非一時的な（例えば、有形の）コンピュータ可読記憶媒体でありうる。
【００７２】
命令８４０は、ここに説明された１つまたは複数の機能または方法を実行するために、ＤＳＰ ８１０によって実行可能でありうる。例えば、命令８４０は、ＤＳＰ ８１０によって実行されるとき、干渉が無線通信チャネル（例えば、ＨＲＰＤチャネル）の到来するスケジュールされた時間スロットのセットのうちの特定の時間スロットの間に生じうるかどうかを予測するために動作可能でありうる。特定の例示的な実施形態では、スケジューラ８７４は、その間に干渉が生じることが予測される特定の時間スロットを決定するために、ＧＳＭ送信と関連づけられる到来するスケジュールされた時間間隔を、スケジュールされたＨＲＰＤ受信の到来するスケジュールされた時間スロットのセットと比較する。
【００７３】
命令８４０は、無線通信チャネルの到来するスケジュールされた時間スロットのセットのうちの１つまたは複数の特定された時間スロット間の予測された干渉についてネットワークデバイスに通知するためのメッセージ８９０を生成するために、ＤＳＰ ８１０によってさらに実行されうる。特定の例示的な実施形態によると、メッセージジェネレータ８７５は、メッセージ８９０を生成し、第２のトランシーバ８８０が、第２のアンテナ８４２を使用してメッセージ８９０を送る。
【００７４】
図８はまた、デジタル信号プロセッサ８１０とディスプレイ８２８とに結合されるディスプレイコントローラ８２６を示す。符号器／復号器（ＣＯＤＥＣ）８３４もまた、デジタル信号プロセッサ８１０に結合されうる。スピーカー８３６およびマイクロホン８３８が、ＣＯＤＥＣ ８３４に結合されうる。電源８４４および入力デバイス８３０がさらに提供されうる。
【００７５】
特定の実施形態では、図８のモバイルデバイス８００の１つまたは複数のコンポーネントまたは対応するコンポーネントは、ネットワークデバイス（例えば、ネットワーク側（network-side）の基地局）に含まれうる。例えば、ネットワークデバイスは、モバイルデバイスからメッセージを受信するための手段（例えば、第１のトランシーバ８７０または第２のトランシーバ８８０と同様のトランシーバ、およびアンテナ）を含むことができ、ここで、メッセージは、ネットワークデバイスが無線通信チャネルの到来するスケジュールされた時間スロットのセットのうちの特定の時間スロットの間にモバイルデバイスへ情報を送らないようにすべきであることを示す。ネットワークデバイスは、受信されたメッセージに応答して、モバイルデバイスへ情報を送信するための手段（例えば、第１のトランシーバ８７０または第２のトランシーバ８８０と同様のトランシーバ、およびアンテナ）をさらに含みうる。ネットワークデバイスは、情報がモバイルデバイスへ送られることがないようにすべきであることを決定するために、プロセッサに、受信されたメッセージを復号および処理させる命令を実行するための（例えば、ＤＰＳ ８１０と同様の）プロセッサをさらに含みうる。
【００７６】
当業者は、ここに開示された実施形態に関連して説明されたさまざまな例示的な論理ブロック、構成、モジュール、回路、およびアルゴリズムステップが、電子ハードウェア、コンピュータソフトウェア、あるいは両方の組み合わせとしてインプリメントされうることをさらに理解するであろう。さまざまな例示的なコンポーネント、ブロック、構成、モジュール、回路、およびステップは、一般的にそれらの機能の観点から上述された。このような機能が、ハードウェアとしてインプリメントされるか、あるいはソフトウェアとしてインプリメントされるかは、特定のアプリケーションおよびシステム全体に課せられる設計制約に依存する。当業者は、各々の特定のアプリケーションに関して、多様な方法で説明された機能をインプリメントすることができるが、このようなインプリメンテーションの決定は、本開示の範囲からの逸脱を引き起こしていると解釈されるべきでない。
【００７７】
ここで開示された実施形態に関連して説明されたアルゴリズムまたは方法のステップは、直接ハードウェアにおいて、プロセッサによって実行されるソフトウェアモジュールにおいて、あるいは２つの組み合わせにおいて、具現化（embodied）されうる。ソフトウェアモジュールは、ランダムアクセスメモリ（ＲＡＭ）、フラッシュメモリ、読み出し専用メモリ（ＲＯＭ）、プログラマブル読み出し専用メモリ（ＰＲＯＭ）、消去可能ＰＲＯＭ（ＥＰＲＯＭ）、電気的消去可能ＰＲＯＭ（ＥＥＰＲＯＭ）、レジスタ、ハードディスク、リムーバブルディスク、コンパクトディスク読み出し専用メモリ（ＣＤ−ＲＯＭ）、あるいは当技術において周知であるその他任意の形状の非一時的な記憶媒体に存在しうる。典型的な記憶媒体は、プロセッサが、記憶媒体から情報を読み、また記憶媒体に情報を書くことができるように、プロセッサに結合されうる。代替において、記憶媒体は、プロセッサと一体化されうる。プロセッサおよび記憶媒体は、特定用途向け集積回路（ＡＳＩＣ）内に存在しうる。ＡＳＩＣは、計算デバイスまたはユーザ端末（例えば、モバイルフォンまたはＰＤＡ）内に存在しうる。代替において、プロセッサおよび記憶媒体は、ユーザ端末または計算デバイスに個別のコンポーネントとして存在しうる。
【００７８】
開示された実施形態の先の説明は、開示された実施形態を製造および使用することを当業者に可能にするために提供される。これらの実施形態への種々の変更は、当業者にとって容易に明らかであり、ここに定義された原理は、本開示の範囲から逸脱することなく他の実施形態に応用されうる。したがって、本開示は、ここに開示された実施形態に制限されるようには意図されず、下記の特許請求の範囲によって定義されるような原理および新規な特徴と一致する最も広い範囲を与えられることとなる。
以下に、本願出願の当初の特許請求の範囲に記載された発明を付記する。
［Ｃ１］  モバイルデバイスによって、干渉が無線通信チャネルの到来するスケジュールされた時間スロットのセットのうちの１つまたは複数の特定された時間スロットの間に生じうることを予測することと、
前記１つまたは複数の特定された時間スロットの間に前記モバイルデバイスへ情報を送らないようにネットワークデバイスに指示する、前記ネットワークデバイスへのメッセージを送ることと
を備える方法。
［Ｃ２］  前記メッセージは、マスクビットのパターンを備え、前記マスクビットの各々は、前記到来するスケジュールされた時間スロットのうちの１つに対応するビット位置を有し、かつ前記到来するスケジュールされた時間スロットのうちの１つの間に前記情報が送られることがないようにされるべきかどうかを示すビット値を有する、Ｃ１に記載の方法。
［Ｃ３］  前記マスクビットを含むデータレート制御（ＤＲＣ）マスクは、前記無線通信チャネルの拡張されたＤＲＣチャネルを介して前記ネットワークデバイスへ送られる、Ｃ２に記載の方法。
［Ｃ４］  前記メッセージは、データが前記ネットワークデバイスから前記モバイルデバイスへ送られる要求されたデータレートを示すＤＲＣ値と前記ＤＲＣマスクとを含む、Ｃ３に記載の方法。
［Ｃ５］  前記メッセージは、前記ＤＲＣ値および前記ＤＲＣマスクを含むプロトコルデータ単位（ＰＤＵ）である、Ｃ４に記載の方法。
［Ｃ６］  前記メッセージは、前記無線通信チャネルの専用データレート制御（ＤＲＣ）マスクチャネルを介して前記ネットワークデバイスへ送られる、Ｃ２に記載の方法。
［Ｃ７］  前記専用ＤＲＣマスクチャネルは、固有のウォルシュ符号と関連づけられる、Ｃ６に記載の方法。
［Ｃ８］  前記メッセージは、前記無線通信チャネルのデータソース制御（ＤＳＣ）チャネルを介して前記ネットワークデバイスへ送られる、Ｃ１に記載の方法。
［Ｃ９］  前記ＤＳＣチャネルは、ＤＳＣカバーのセットを搬送するように構成される、Ｃ８に記載の方法。
［Ｃ１０］  前記ＤＳＣカバーのセットのうちの指定されたＤＳＣカバーは、その間に干渉が予測される、前記到来するスケジュールされた時間スロットのセットのうちの前記１つまたは複数の特定された時間スロットを示す、Ｃ９に記載の方法。
［Ｃ１１］  前記ＤＳＣカバーのセットは、８つのウォルシュ符号のセットである、Ｃ１０に記載の方法。
［Ｃ１２］  前記干渉は、前記モバイルデバイスによる前記情報の受信と干渉しうる、第２のネットワークデバイスへの前記モバイルデバイスによって送られる送信に基づいて予測される、Ｃ１に記載の方法。
［Ｃ１３］  前記モバイルデバイスの第１のトランシーバを介して前記送信を送ることと、
前記モバイルデバイスの第２のトランシーバを介して前記情報の少なくとも一部を受信することと
をさらに備え、
前記送信を送ることは、前記情報を受信することと干渉しない、Ｃ１２に記載の方法。
［Ｃ１４］  前記送信は、グローバル移動体通信システム（ＧＳＭ）送信であり、前記受信は、前記ＧＳＭ送信と同時に生じるようにスケジュールされている高レートパケットデータ（ＨＲＰＤ）受信である、Ｃ１３に記載の方法。
［Ｃ１５］  前記特定された時間スロットは、その間にＨＲＰＤデータが前記モバイルデバイスによって受信されるスケジュールされたＨＲＰＤ時間スロットである、Ｃ１４に記載の方法。
［Ｃ１６］  前記送信は、Ｂｌｕｅｔｏｏｔｈ送信または無線ローカルエリアネットワーク（ＷＬＡＮ）送信であり、前記受信は、ロングタームエボリューション（ＬＴＥ）受信または高速パケットアクセス（ＨＳＰＡ）受信である、Ｃ１３に記載の方法。
［Ｃ１７］  干渉が無線通信チャネルの到来するスケジュールされた時間スロットのセットのうちの１つまたは複数の特定された時間スロットの間に生じうることを決定するように構成されたスケジューラと、
前記特定された時間スロットを示す、前記スケジューラからのデータを受信するように構成され、かつ、前記データをメッセージ中に符号化するようにさらに構成されたメッセージジェネレータと、
を備えるプロセッサ、
を備える装置。
［Ｃ１８］  前記メッセージジェネレータは、ネットワークデバイスへ送信されるデータレート制御（ＤＲＣ）マスクとして前記データを符号化するように構成される、Ｃ１７に記載の装置。
［Ｃ１９］  ＧＳＭネットワークデバイスにグローバル移動体通信システム（ＧＳＭ）データを送信するように構成された第１のトランシーバと、
ＨＲＰＤネットワークデバイスから高レートパケットデータ（ＨＲＰＤ）データを受信するように構成され、かつ前記ＨＲＰＤネットワークデバイスに前記メッセージを送信するようにさらに構成された第２のトランシーバと
をさらに備える、Ｃ１８に記載の装置。
［Ｃ２０］  デュアルＨＲＰＤ／ＧＳＭモバイルデバイスに統合される、Ｃ１９に記載の装置。
［Ｃ２１］  干渉が無線通信チャネルの到来するスケジュールされた時間スロットのうちの１つまたは複数の特定された時間スロットの間に生じうることを決定するための手段と、
前記特定された時間スロットを示すデータをメッセージ中に符号化するための手段と
を備える装置。
［Ｃ２２］  グローバル移動体通信システム（ＧＳＭ）データを送信するための手段と、
高レートパケットデータ（ＨＲＰＤ）データを受信するための手段と
をさらに備え、
前記特定された時間スロットは、その間に前記ＧＳＭデータが送信されるＨＲＰＤ時間スロットである、Ｃ２１に記載の装置。
［Ｃ２３］  プロセッサによって実行されるとき、前記プロセッサに、
モバイルデバイスによって、干渉が無線通信チャネルの到来するスケジュールされた時間スロットのセットのうちの１つまたは複数の特定された時間スロットの間に生じうることを予測させ、
前記特定された時間スロットの間に前記モバイルデバイスへ情報を送らないようにネットワークデバイスに指示する、前記ネットワークデバイスへのメッセージを送らせる
ように動作可能な命令を含むコンピュータ可読媒体。
［Ｃ２４］  前記メッセージは、複数のビットを含むマスクビットパターンを含み、前記ビットの各々は、前記到来するスケジュールされた時間スロットのうちの１つに対応するビット位置を有し、かつ前記到来するスケジュールされた時間スロットのうちの１つの間に前記情報が送られることがないようにされるべきかどうかを示すビット値を有する、Ｃ２３に記載のコンピュータ可読媒体。
［Ｃ２５］  前記命令は、前記プロセッサによって実行されるとき、前記プロセッサに、前記到来するスケジュールされた時間スロットのセットの各特定の時間スロットについて、前記モバイルデバイスが各特定の時間スロットの間に前記ネットワークデバイスからデータを受信すべきかどうかを決定するために、前記マスクビットパターンの各ビットを参照させるようにさらに動作可能である、Ｃ２４に記載のコンピュータ可読媒体。
［Ｃ２６］  ネットワークデバイスによって、無線通信チャネルの到来するスケジュールされた時間スロットのセットのうちの１つまたは複数の特定された時間スロットの間のモバイルデバイス送信干渉を示す、モバイルデバイスからのメッセージを受信すること
を備える方法。
［Ｃ２７］  情報が前記１つまたは複数の特定された時間スロットの間に前記モバイルデバイスへ送られるようにスケジュールされているかどうかを決定することをさらに備える、Ｃ２６に記載の方法。
［Ｃ２８］  前記情報が前記１つまたは複数の特定された時間スロットの間に前記モバイルデバイスへ送られるようにスケジュールされていると決定することに応答して、前記１つまたは複数の特定された時間スロットを、前記モバイルデバイスから第２のモバイルデバイスへ再割り当てすることをさらに備える、Ｃ２７に記載の方法。
［Ｃ２９］  モバイルデバイスからメッセージを受信するように構成された受信機であって、前記メッセージは複数のビットを含み、前記ビットの各々は、到来するスケジュールされた時間スロットのセットのうちの時間スロットに対応するビット位置を有し、かつ前記対応する時間スロットの間に前記モバイルデバイスへ情報を送るかどうかを示すビット値を有する、受信機と、
前記受信されたメッセージに応答して、特定された時間スロットにおいて前記モバイルデバイスへ前記情報を選択的に送信するように構成された送信機と
を備える装置。
［Ｃ３０］  前記メッセージは、前記複数のビットを含むデータレート制御（ＤＲＣ）マスクを含み、前記メッセージは、ＤＲＣ値をさらに含む、Ｃ２９に記載の装置。
［Ｃ３１］  前記メッセージは、固有のウォルシュ符号と関連づけられる専用チャネルを介して受信される、Ｃ２９に記載の装置。
［Ｃ３２］  前記メッセージは、データソース制御（ＤＳＣ）カバーを含む、Ｃ２９に記載の装置。
［Ｃ３３］  モバイルデバイスが無線通信チャネルの到来するスケジュールされた時間スロットのセットのうちの１つまたは複数の時間スロットの間にモバイルデバイス送信干渉を示すという、前記モバイルデバイスからのメッセージを受信するための手段と、
前記受信されたメッセージに応答して、前記モバイルデバイスに情報を送信するための手段と、
を備える装置。
［Ｃ３４］  前記メッセージは、複数のビットを含むマスクビットパターンを含み、前記ビットの各々は、前記到来するスケジュールされた時間スロットのうちの１つに対応する、Ｃ３３に記載の装置。
［Ｃ３５］  プロセッサによって実行されるとき、前記プロセッサに、
モバイルデバイスからのメッセージを受信させるように動作可能な命令を含み、前記メッセージは複数のビットを含み、前記ビットの各々は、到来するスケジュールされた時間スロットのセットのうちの時間スロットに対応するビット位置を有し、かつ前記対応する時間スロットの間に前記モバイルデバイスへ情報を送らないようにするかどうかを示すビット値を有する、コンピュータ可読媒体。
［Ｃ３６］  前記命令は、前記プロセッサによって実行されるとき、前記プロセッサに、前記到来するスケジュールされた時間スロットのうちの少なくとも１つを、前記モバイルデバイスから第２のモバイルデバイスへ再割り当てさせるようにさらに動作可能である、Ｃ３５に記載のコンピュータ可読媒体。
【図１】
0005559367.tif 000002
【図２】
0005559367.tif 000003
【図３】
0005559367.tif 000004
【図４】
0005559367.tif 000005
【図５】
0005559367.tif 000006
【図６】
0005559367.tif 000007
【図７】
0005559367.tif 000008
【図８】
0005559367.tif 000009